(57)【特許請求の範囲】
【請求項１】
互いに間隔を隔てて平行に配置された上壁及び下壁と、これら上壁及び下壁の周縁部を繋ぐ周壁とを、備える容器と、
この容器内に収容されており、２つのループ部を有し、これらループ部が８の字状をなすように可撓性を有する糸を巻回し、前記２つのループ部が８の字の交差部分で重なり合うように２つに折り曲げられた巻き糸とを、
具備し、前記巻き糸は、そのループ部の一部が、前記上壁、下壁及び周壁に接触している糸状体ユニット。
【請求項２】
請求項１記載の糸状体ユニットにおいて、前記巻き糸の折り曲げられたループ部間に、板状の分離体が配置されている糸状体ユニット。
【請求項３】
請求項２記載の糸状体ユニットにおいて、前記分離体を間に挟んで前記上壁側に上板が前記下壁側に下板が配置され、これら上板及び下板は、それらの一端部同士が前記巻き糸の前記交差部側で結合され、前記上板と前記分離体との間に前記巻き糸の一方のループ部が位置し、前記下板と前記分離体との間に前記巻き糸の他方のループ部が位置し、前記上板と前記上壁との間に、前記巻き糸と同一に巻かれた別の巻き糸の一方のループ部が位置し、前記下板と前記下壁との間に、前記別の巻き糸の他方のループが位置する糸状体ユニット。
【請求項４】
請求項１記載の糸状体ユニットにおいて、前記容器に、前記巻き糸から解いた糸を引き出すための引き出し孔が形成されている糸状体ユニット。
【請求項５】
請求項４記載の糸状体ユニットにおいて、前記糸状体引き出し孔が前記周壁の部分に形成され、この引き出し孔が形成された前記周壁の部分が、前記容器を開閉する開閉扉を構成している糸状体ユニット。
【請求項６】
請求項１記載の糸状体ユニットにおいて、
前記容器内に、前記上壁、下壁及び周壁に接触している固定部が収容され、前記固定部は、前記２つのループ部の前記交差部分と反対側の部分の外側に、湾曲面を有し、
前記２つのループ部の前記交差部分と反対側の部分が、前記固定部の湾曲面へ接触することを介して、前記巻き糸のループ部分の一部が、前記上壁、下壁及び周壁へ接触している糸状体ユニット。
【発明の詳細な説明】
【技術分野】
【０００１】
本発明は、釣糸その他の長尺の糸状体と、これを保持するケーシングとを備えた糸状体ユニットの構造に関するものである。
【背景技術】
【０００２】
糸状体として典型的には釣糸が例示される。釣糸は、従来から所定の長さ（例えば５０ｍ〜１５０ｍ程度）に裁断されて市販されている。ただし、長尺の釣糸は取り扱いに不便であることから、通常、釣糸は糸巻に巻き取られた状態で販売される（例えば、特許文献１〜特許文献１４参照）。一般に糸巻は単一の円筒状のコアを有しており、当該コアに釣糸が巻き付けられるようになっている。また、糸巻に釣糸を巻き付ける装置も従来から提供されている（例えば、特許文献１５〜特許文献２５参照）。このような糸巻装置は、釣糸に一定のテンションを発生させた状態で当該釣糸を上記コアに巻き取るようになっている。
【０００３】
ところで、長尺の釣糸が単一の円筒状コアに一方向に一様に巻き取られた場合には、当該釣糸に巻き癖がつくおそれがある。巻き癖がついた釣糸は使用時に螺旋状に変形し、釣人にとって非常に使いにくいものとなる。このような不都合が解消されるために、例えば特許文献２６に開示された糸巻が提供されている。この糸巻は、ほとんど巻き癖をつけることなく釣糸を巻き取ることができるようになっている。具体的には、特許文献２６に開示された糸巻は、一対の円筒状コアを有している。長尺の釣糸は、これら一対の円筒状コア間に８の字を描くように巻き掛けられる。そして、このように８の字を呈するように形成された釣糸がその中央部（釣糸同士が交差する部位）で折り曲げられ、全体として円形に巻回された状態で（いわゆる蜷局状を成して）当該糸巻に保持される。
【０００４】
図１１は、従来の糸巻の分解斜視図である。
【０００５】
この糸巻５０１は、内フレーム５０２と外フレーム５０３とを有する。釣糸５０４は内フレーム５０２に巻き取られており、この内フレーム５０２が外フレーム５０３に収容される。釣糸５０４の端部５０５は、外フレーム５０３に設けられた挿通孔５０６から外部へ導かれている。釣人は、外フレーム５０３を一方の手に持ち、他方の手で釣糸５０４の端部５０５を把持して引っ張ることにより、所望の長さの釣糸５０４を取り出すことができる。
【０００６】
図１２は従来の糸巻の内フレームが展開された状態の斜視図であり、図１３は釣糸が巻き付けられた状態の平面図である。
【０００７】
これらの図が示すように、内フレーム５０２はベースプレート５０７を有し、このベースプレート５０７に一対のコア５０８、５０９が設けられている。これらコア５０８、５０９を覆うように、それぞれフランジ５１０、５１１が設けられている。各フランジ５１０、５１１の端部５１２、５１３は、ベースプレート５０７に固定されている。釣糸５０４の基端５１８は、ベースプレート５０７の所定位置に固定される。釣糸５０４は、コア５０８とコア５０９とに交互に巻き掛けられ、８の字を呈するように形成される（図１３参照）。この状態でベースプレート５０７が中央部で折り曲げられることにより（図１１参照）、結果として長尺の釣糸が円形に巻回された状態で外フレーム５０３に収容されるようになっている。
【０００８】
釣糸５０４は、糸巻５０１に巻き取られた状態で製品（糸状体ユニット）として販売される。釣人が釣糸５０４を使用するときは、前述のように釣糸５０４の端部５０５を引っ張る。これにより、内フレーム５０２に巻き取られた釣糸５０４が順にほどけて糸巻５０１から引き出される。ここで、釣糸５０４は前述のように８の字を描くように内フレーム５０２のコア５０８、５０９に巻き掛けられているから、釣糸５０４に巻き癖がつくことはない。したがって、糸巻５０１から引き出された釣糸５０４は真直な状態を維持し、釣人にとって非常に使いやすいものである。
【先行技術文献】
【特許文献】
【０００９】
【特許文献１】特開２００６−２３０２０７号公報
【特許文献２】特開２００６−２２３１２７号公報
【特許文献３】特開２００５−３０４３５８号公報
【特許文献４】特開２００５−２１８４４６号公報
【特許文献５】特開２００５−２１８３３４号公報
【特許文献６】特開２００５−０００１５１号公報
【特許文献７】特開２００４−３１３１５０号公報
【特許文献８】特開２００４−２１５６３７号公報
【特許文献９】特開２００４−２１５６３６号公報
【特許文献１０】特開２００３−００９７４２号公報
【特許文献１１】特開２００２−３７０８７１号公報
【特許文献１２】特開２００２−３６９６４６号公報
【特許文献１３】特開２００２−１７１８８７号公報
【特許文献１４】特開２００１−２９９１７３号公報
【特許文献１５】特開２００２−０９５３９９号公報
【特許文献１６】特開２００２−０８４９４３号公報
【特許文献１７】特開２００１−１５１２０６号公報
【特許文献１８】特開２００１−１４８９８７号公報
【特許文献１９】特開２００１−１１４４７１号公報
【特許文献２０】特開平１１−１８０６４１号公報
【特許文献２１】特開平１１−００５６７１号公報
【特許文献２２】特開平１０−１０９８２４号公報
【特許文献２３】特開平１０−１０９８２２号公報
【特許文献２４】特開平９−１８８４７５号公報
【特許文献２５】特開平７−１３７９３３号公報
【特許文献２６】特許第３８９９１１７号公報
【発明の概要】
【発明が解決しようとする課題】
【００１０】
ところが、従来の糸状体ユニットでは、糸巻５０１の構造がきわめて複雑であった。すなわち、糸巻５０１は内フレーム５０２及び外フレーム５０３を備えており、内フレーム５０２はベースプレート５０７及びコア５０８、５０９を有し、さらに、これらコア５０８、５０９を覆うようにフランジ５１０、５１１が設けられている。そして、釣糸５０４は、コア５０８とコア５０９とに交互に巻き掛けられている。
【００１１】
このような従来の糸巻５０１の構造は、８の字を呈するように巻き取られた釣糸が確実に保持され、しかも絡まることなく円滑に引き出されることを目的として開発されたものである。しかしながら、そのために糸巻５０１の製造工程も複雑化し、糸巻５０１引いては糸状体ユニットの製造コストが大幅に上昇するという新たな問題が発生した。
【００１２】
そこで、本発明の目的は、釣糸その他の糸状体を巻き癖が付くことなく保持すると共にこの糸状体が円滑に引き出される安価な糸状体ユニットを提供することである。
【課題を解決するための手段】
【００１９】
本発明の一態様の糸状体ユニットは、容器を備えている。この容器は、互いに間隔を隔てて平行に配置された上壁及び下壁と、これら上壁及び下壁の周縁部を繋ぐ周壁とを、有している。容器としては、直方体状のものや円板状のものを使用することができる。この容器内に巻き糸が収容されている。巻き糸は、２つのループ部を有し、これらループ部が８の字状をなすように可撓性を有する糸を巻回したもので、前記２つのループ部が８の字の交差部分で重なり合うように２つに折り曲げられている。糸としては、例えば釣り糸を使用することができる。巻き糸は、そのループ部の一部が、前記上壁、下壁及び周壁に接触している。なお、容器には、巻き糸から解いた糸を引き出すための引き出し孔が形成されている。
【００２０】
このように構成された糸収容体では、折り曲げた８の字状の巻き糸のループ部は、その可撓性のために広がろうとするが、ループ部の一部が、容器の上壁、下壁及び周壁にそれぞれ接触しているので、広がることなくループ形状が維持されている。従って、糸が折り曲げた８の字状に維持されているので、解いていくことによって巻き癖がついていない糸を引き出すことができる。しかも、そのために、複雑な構成の上述したような構造体が不要であり、コストを低減することができる。
【００２１】
上記の態様の糸収容体において、前記巻き糸の折り曲げられたループ部間に、板状の分離体を配置することができる。このように構成すると、２つのループ部にある糸が干渉することがなく、糸を円滑に引き出すことができる。
【００２２】
この態様において、さらに、分離体を間に挟んで上壁側に上板が下壁側に下板を配置することができる。これら上板及び下板は、それらの一端部同士が前記巻き糸の前記交差部側で結合されている。前記上板と前記分離体との間に前記巻き糸の一方のループ部が位置し、前記下板と前記分離体との間に前記巻き糸の他方のループ部が位置している。前記上板と前記上壁との間に、前記巻き糸と同一に巻かれた別の巻き糸の一方のループ部が位置し、前記下板と前記下壁との間に、前記別の巻き糸の他方のループが位置する。このように構成すると、各巻き糸のループ部の糸が互いに干渉することなく、１つの容器内に２本の巻き糸を収容することができる。
【００２３】
前記容器内に、前記上壁、下壁及び周壁に接触している固定部を収容することができる。この場合、前記固定部は、前記２つのループ部の前記交差部分と反対側の部分の外側に湾曲面を有している。前記２つのループ部の前記交差部分と反対側の部分が、前記固定部の湾曲面へ接触することを介して、前記巻き糸のループ部分の一部が前記上壁、下壁及び周壁へ接触している。
【００２４】
このように構成すると、巻き糸の折り曲げられた２つのループ部の交差部分と反対側の部分が固定部の湾曲面に接触して、その形状を維持するので、解いていくことによって巻き癖がついていない糸を引き出すことができる。しかも、そのために、複雑な構成の上述したような構造体が不要であり、コストを低減することができる。
【００２５】
更に、折り曲げられた２つのループ部の前記交差部分と反対側の部分が挿入される溝を、前記湾曲面に沿って形成することもできる。このように構成すると、溝が案内として機能するので、干渉することなく確実に糸を引き出すことができる。
【発明の効果】
【００２６】
本発明では、巻き癖を付けることなく糸状体が巻き取られるので、ケーシングから引き出された糸状体は、真直で滑らかな状態が維持される。また、糸状体は、滑らかにストレス無く引き出されるので、糸状体が損傷を受けることがない。糸状体は６つの壁面を備えたケーシングに収容されるから、糸状体を保持するケーシングの構造がきわめて簡単である。したがって、糸状体ユニットの製造工程が簡略化され、安価な糸状体ユニットが提供
【図面の簡単な説明】
【００２７】
【図１】図１は、本発明の第１実施形態に係る糸状体ユニットの斜視図である。
【図２】図２は、本発明の第１実施形態に係る糸状体ユニットの分解斜視図である。
【図３】図３は、本発明の第１実施形態に係るケーシングの前面蓋の要部拡大断面図である。
【図４】図４は、本発明の第１実施形態に係るケーシングの要部拡大断面図である。
【図５】図５は、本発明の第１実施形態に係るケーシングの展開図である。
【図６】図６は、糸状体が巻回される要領を示す図である。
【図７】図７は、本発明の第１実施形態に係る糸状体の斜視図である。
【図８】図８は、本発明の第２実施形態の糸状体ユニットの横断平面図と縦断側面図である。
【図９】図９は、第２の実施形態の変形例の縦断側面図である。
【図１０】図１０は、本発明の第３の実施形態の糸状体ユニットの横断平面図と縦断側面図である。
【図１１】図１１は、従来の糸巻の分解斜視図である。
【図１２】図１２は、従来の糸巻の内フレームの斜視図である。
【図１３】図１３は、従来の糸巻の内フレームの平面図である。
【発明を実施するための形態】
【００２８】
以下、適宜図面が参照されつつ、本発明が詳細に説明される。
【００２９】
図１は、本発明の第１実施形態に係る糸状体ユニットの斜視図である。図２は、この糸状体ユニットの分解斜視図である。
【００３０】
この糸状体ユニット１０は、ケーシング（容器）１３と、このケーシング１３に収容された糸状体１２とを備えている。本実施形態では、糸状体１２は釣糸である。したがって、本実施形態に係る糸状体ユニット１０は、釣糸がケーシング１３に収容保持された釣糸ユニットとして構成されている。もっとも、糸状体１２は釣糸に限定されるものではない。
【００３１】
図１及び図２が示すように、ケーシング１３は、中空の直方体の箱状に形成されている。本実施形態では、ケーシング１３は、樹脂、紙、金属等から構成される。ケーシング１３は開口３１を備えており、この開口３１に連続してケーシング１３の内部に収容室３５が区画されている。この収容室３５は、後述されるように環状に折り畳まれた糸状体１２を収容することができるようになっている。
【００３２】
ケーシング１３は、前面蓋３６を備えている。この前面蓋３６は、ケーシング１３と一体的に形成されており、上記収容室３５の開口３１を開閉することができる。この前面蓋３６は、面ファスナー３８を備えている。この面ファスナー３８は、フックテープ３９及びループテープ４０を有する。したがって、前面蓋３６が閉じられたときは、フックテープ３９とループテープ４０とが係合し、前面蓋３６は、閉じた状態が維持される。
【００３３】
図３は、前面蓋３６の要部拡大断面図である。
【００３４】
前面蓋３６は、ガイドリング４１を備えている。このガイドリング４１は、樹脂、金属その他の材料からなる。典型的には、ガイドリング４１は、ＳｉＣ（シリコーンカーバイド）から構成される。ガイドリング４１は、チューブ状に形成されている。ガイドリング４１は、前面蓋３６を貫通し、当該前面蓋３６に固定されている。具体的には、ガイドリング４１は、リング本体４２と固定具４３とを備えている。リング本体４２及び固定具４３は、それぞれ貫通孔４４、４５を備えている。リング本体４２は、前面蓋３６の内側から当該前面蓋３６を貫通して嵌め込まれている。固定具４３は、前面蓋３６を貫通したリング本体４２に当該前面蓋３６の外側から嵌め込まれている。したがって、リング本体４２及び固定具４３は、協働して前面蓋３６を挟み込み、これにより、ガイドリング４１が前面蓋３６に取り付けられている。
【００３５】
ガイドリング４１が前面蓋３６に取り付けられた状態で、上記貫通孔４４、４５が連通し、ケーシング１３の内部と外部とを連通する挿通孔４６（糸状体引出孔）が構成される。上記糸状体１２は、この挿通孔４６に挿通され、ケーシング１３の内部から外部へと円滑に案内される。本実施形態では、この挿通孔４６の一部が拡径されている。具体的には、上記貫通孔４４の内径寸法は、ケーシング１３の内側に向かって漸次大きくなるように設定されている。つまり、挿通孔４４は、ケーシング１３の内側に向かって開く漏斗状に形成されている。挿通孔４６が係る形状に形成されることによる作用効果は、後述される。
【００３６】
図４は、ケーシング１３の要部拡大断面図である。
【００３７】
図１及び図２が示すように、ケーシング１３は糸止具４７を備えている。図４が示すように、この糸止具４７は、円形の平板からなる。糸止具４７は、中央部４８と外縁部４９とを有し、外縁部４９は、中央部４８の周縁に連続して若干上方へ折り曲げられている。この糸止具４７は、糸状体１２を仮保持する。具体的には、図１が示すようにケーシング１３から引き出された糸状体１２が、ケーシング１３と外縁部４９（図４参照）との間に形成される隙間５０に押し込まれる。これにより、糸状体１２は、糸止具４７に保持される。ただし、糸状体１２が引っ張られることにより、糸状体１２は、簡単に糸止具４７から離脱する。
【００３８】
図５は、ケーシング１３の展開図である。ただし、同図では、上記ガイドリング４１及び係止具４７並びに上記糸止具４７の図示が省略されている。
【００３９】
ケーシング１３は、本実施形態ではシート状の樹脂からなる。このシート状の樹脂は、図５が示すような形状に裁断される。ケーシング１３の側片部１１０〜１１３がそれぞれ折曲線１１４〜１１７で折り曲げられる。これにより、ケーシング１３の中央部１０９に対して各側片部１１０〜１１３が起立される。さらに、側片部１１０が折曲線１１８で折り曲げられると共に側片部１１３が折曲線１１９、１２０で折り曲げられることにより、上記収容室３５が区画されたケーシング１３が組み立てられる。このとき、側片部１１３の端縁部１２１は側片部１１１に重ね合わされて固定される。中央部１０９が下壁１４０測片部１１１が一方の側壁１４２を構成し、測片部１１３の折曲線１１７、１１９で囲われた領域が側壁１４４を構成し、測片部１１２が端壁１４６を構成し、測片部１１０の折曲線１１４、１１８で囲われた領域が端壁１４８（前面蓋３６）を構成し、測片部１１３の折曲線１１９、１２０で囲われた領域が上壁１５０を構成する。
【００４０】
なお、前面蓋３６の端縁部１２２に上記面ファスナー３８が設けられている。また、前面蓋３６に貫通孔９１が設けられており、この貫通孔９１に上記ガイドリング４１（図１参照）が取り付けられている。この貫通孔９１は、前面蓋３６の中心に設けられている。
【００４１】
図２が示すように、糸状体１２は、全体として環状に形成されている。ただし、この糸状体１２は、予め８の字を呈するように巻回され、これが中央部で折り畳まれることにより構成されている。糸状体１２は、次の要領で巻回され得る。
【００４２】
図６は、糸状体１２が巻回される要領を示す図である。
【００４３】
本実施形態では、糸状体１２は、治具１１に巻き取られる。治具１１は、ベースプレート１４と、これに設けられた糸掛ボス１５、１６（仮想糸掛ボス）とを備えている。ベースプレート１４は、樹脂や金属等からなる。ベースプレート１４は、薄肉の平板からなり、細長の矩形に形成されている。糸掛ボス１５及び糸掛ボス１６も樹脂や金属等からなる。糸掛ボス１５、１６は、円柱状に形成されている。糸掛ボス１５は、ベースプレート１４の一端部に立設配置され、糸掛ボス１６は、ベースプレート１４の他端部に立設配置されている。同図では、糸掛ボス１５、１６は、紙面に垂直な方向に突出している。本実施形態では、糸掛ボス１５、１６は、円柱状に形成されているが、これら糸掛ボス１５、１６の形状は円柱状に限定されるものではない。すなわち、これら糸掛ボス１５、１６は、巻き掛けられた糸状体が滑らかな曲線状を呈するような外周面を備えていれば、他の種々の形状が採用され得る。したがって、糸掛ボス１５、１６は、断面が半円形の柱状に形成されていてもよいし、外周面の一部に曲面が形成された異形の柱状に形成されていてもよい。
【００４４】
糸状体１２の一端５１がベースプレート１４に固定される。糸状体１２の固定位置は特に限定されるものではないが、本実施形態では、糸状体１２は、両糸掛ボス１５、１６の中間に固定されている。この糸状体１２は、まず糸掛ボス１５側に引き回され、当該糸掛ボス１５の外周面２２に時計回りに巻き掛けられる。続いて、糸状体１２は、当該糸状体１２とクロスするようにして糸掛ボス１６の外周面２４に反時計回りに巻き掛けられる。これを単位サイクルとして、当該単位サイクルが繰り返される。すなわち、糸状体１２は、糸掛ボス１５の外周面２２に時計回りに巻き掛けられた後、前述と同様に糸掛ボス１６に巻き掛けられ、これが繰り返される。なお、本実施形態では、糸状体１２は、糸掛ボス１５の外周面２２に時計回りに巻き掛けられた後、糸掛ボス１６の外周面２４に反時計回りに巻き掛けられるが、糸状体１２は、糸掛ボス１５の外周面２２に反時計回りに巻き掛けられた後、糸掛ボス１６の外周面２４に時計回りに巻き掛けられてもよい。また、本実施形態では、糸状体１２が前述のように８の字を呈するように巻回されるために治具１１が使用されたが、治具１１は使用されなくてもよいことは勿論である。
【００４５】
これにより、糸状体１２は、ループ部１２ａ、１２ｂからなる８の字を呈するように一対の糸掛ボス１５、１６間に巻き取られ、ベースプレート１４に保持される。なお、所定長さの糸状体１２がベースプレート１４に巻き付けられると、当該糸状体１２が切断される。糸状体１２は、一対の糸掛ボス１５、１６間に８の字を呈するように巻き付けられるから、糸状体１２が糸掛ボス１５に巻かれる際に発生する撚りと、糸掛ボス１６に巻かれる際に発生する撚りとが相殺され、結果的に糸状体１２が撚れることはない。しかも、糸状体１２は、強く引っ張られることなくきわめて緩やかに糸掛ボス１５、１６に巻き付けられる。
【００４６】
図７は、環状に形成された糸状体１２の斜視図である。
【００４７】
糸状体１２が８の字を呈するように巻き掛けられた状態で、糸状体１２がベースプレート１４から取り外され、中央部３３（図６参照）でループ部１２ａ、１２ｂが重なるように折り畳まれる。これにより、糸状体１２は、図７が示すように環状に形成される。このとき、糸状体１２は、上記糸掛ボス１５に巻き掛けられたループ部１２ａと、上記糸掛ボス１６に巻き掛けられたループ部１２ｂとが交互に積み重ねられた状態となっている。そして、糸状体１２の他端側の部分５２は、糸掛ボス１５側に巻回されたループ１２ａと糸掛ボス１６側に巻回されたループ１２ｂとの間に導かれ、両ループ間に挟み込まれた状態となる（図７参照）。また、前述のように、糸状体１２は、ほとんど無張力の状態で糸掛ボス１５、１６に巻き付けられるから、糸状体１２に巻き癖がつくことがない。
【００４８】
そして、このように環状に形成された糸状体１２は、図２が示すようにケーシング１３に収容される。このとき、ケーシング１３の前面蓋３６が開かれ、糸状体１２がケーシング１３に挿入される。換言すれば、糸状体１２は、ケーシング１３によって囲繞され保持される。糸状体１２の他端側の部分５２は、ケーシング１３の前面蓋３６に設けられたガイドリング４１に挿通され、この状態で当該前縁蓋３６が閉じられる。これにより、糸状体１２は、ケーシング１３の外部に引き出され、糸状体ユニット１０の組み立てが完成する。
【００４９】
この糸状体１２の使用者（釣人）は、糸状体１２の他端側の部分５２を引っ張ることにより、所望の長さの糸状体１２をベースプレート１４から引き出すことができる。このとき、糸状体１２の上面３２、下面１７、正面１８、背面２０、右側面１９及び左側面２１はケーシング１３の上記６つの壁面に当接しているから、糸状体１２は、その剛性によって拡がることが防止されている。したがって、糸状体１２は、幾重にも積み重ねられた上記ループが順番に解けるように引き出され、使用者の意に反して多量にケーシング１３から引き出されることはない。しかも、糸状体１２の他端側の部分５２が糸掛ボス１５側に巻回されたループと糸掛ボス１６側に巻回されたループとの間に挟み込まれるように配置されているから、糸掛ボス１５側に巻回されたループと糸掛ボス１６側に巻回されたループとの間に当該他端側の部分５２によって境界が形成される。したがって、糸状体１２が引き出される際に、糸掛ボス１５側に巻回されたループと糸掛ボス１６側に巻回されたループとが交差して絡み合うことが防止される。
【００５０】
このように本実施形態に係る糸状体ユニット１０では、糸状体１２は、ストレスなくケーシング１３から引き出されるので、糸状体１２が損傷を受けることはない。また、糸状体１２は、真直で滑らかな状態が維持されるから、使用者にとって非常に扱いやすいという利点もある。しかも、ケーシング１３は、きわめて簡単な構造であるから、糸状体ユニットの製造コストが低減される。
【００５１】
本発明の第２の実施形態の糸状体ユニット１０ａを図８（ａ）、（ｂ）に示す。この糸状体ユニットは、第１の実施形態の糸状体ユニットにおいて、ケーシング１３内に収容されているループ部１２ａ、１２ｂ間に、これらを分離するように分離体、例えば遮蔽板２００を設けたものである。他の構成は図１及び図２に示した糸状体ユニットと同一であるので、同一部分には同一符号を付して、その説明を省略する。
【００５２】
遮蔽板２００は、例えばケーシング１３の内部平面形状にほぼ一致する形状（実際には、糸状体ユニット１２の交差部３３の厚みの分だけ端壁１４６、１４８の内面間の距離よりも短く長さ寸法が短く形成され、幅寸法は側壁１４２、１４４間の内面間の距離に等しい）板状のもので、例えば剛性のある紙やプラスチックによって構成されている。遮蔽板２００は、ループ部１２ａ、１２ｂを分離するようにケーシング１３内の高さ方向のほぼ中央に設けられている。遮蔽板２００では、端壁１４６側において、糸状体ユニット１２の一端５１が下壁１４０に固定されている側と反対側の縁部が側壁との間に隙間を形成するように湾曲部１２０ａが形成されている。糸状体１２の他端側の部分５２は、この湾曲部１２０ａを通って遮蔽板２００のループ部１２ａ側に導かれ、ガイドリング４１から外部に導出されている。
【００５３】
この遮蔽板２００を設けているので、各ループ部１２ａ、１２ｂの糸のうち、互いに接近しているものが絡み合うことを確実に防止することができ、糸状体１２を引き出す際に、複数のループとなっている部分が同時に引き出されることを防止できる。なお、遮蔽板２００をケーシング１３内の高さ方向のほぼ中央に設けた関係で、ガイドリング４１の位置を変更してある。
【００５４】
なお、図９（ａ）、（ｂ）に示すように側面形状が横倒させたＶ字状またはＵ字状をなすように一体に結合した上板２０２Ｕ、２０４Ｕ、下板２０２Ｄ、２０４Ｄをケーシング１３内に、これらの結合部が端壁１４６側に位置するように挿入することもできる。上板２０２Ｕ、２０４Ｕ、下板２０２Ｄ、２０４Ｄは、側壁１４２、１４４間の内面間の距離にほぼ等しい幅寸法を有し、端壁１４６、１４８間の内面間距離にほぼ等しい長さ寸法を有している。上板２０２Ｕ、２０４Ｕは、上壁１５０との間に隙間を有し、下板２０２Ｄ、２０４Ｄは、下壁１４０との間にそれぞれ隙間を有している。上板２０２Ｕ、２０４Ｕ、下板２０２Ｄ、２０４Ｄの間に遮蔽板２００が配置され、遮蔽板２００と上板２０２Ｕ、２０４Ｕの間に１つの糸状体の１つのループ部が位置し、遮蔽体２００と下板２０２Ｄ、２０４Ｄとの間に同じ糸状体のもう一つのループ部が位置するように１つの糸状体１２が配置される。同様に、上壁１５０と上板２０２Ｕ、２０４Ｕとの間に別の糸状体の１つのループ部が位置し、下壁１４０と下板２０２Ｄ、２０４Ｄとの間に別の糸状体のもう１つのループ部が位置する。このように構成すると、２本の糸状体をケーシング１３内に同じ糸状体のループ部が絡み合うことなく収容することができる。なお、図９（ａ）、（ｂ）では、図が錯綜するので、２つの糸状体の図示を省略してある。ガイドリングは、各糸状体用に２つ設けられている。
【００５５】
本発明の第３の実施形態の糸状体ユニットを図１０（ａ）、（ｂ）に示す。この糸状体ユニットは、第１の実施形態に糸状体ユニットに固定部２２２ａ、２２２ｂを設けたものである。固定部２２２ａ、２２２ｂは、端壁１１０側に設けられるもので、ケーシング１３の高さ寸法にほぼ一致する高さ寸法を有し、固定部２２２ａ、２２２ｂの一方の面が端壁１１０に接するように垂直面に形成され、この面と対向する面が、端壁１１０側に凸の湾曲面２２４ａ、２２４ｂに形成されている。これら湾曲面２２４ａ、２２４ｂは、糸状体１２の折り返されたループ部１２ａ、１２ｂの交差部３３と反対側の湾曲部の形状にほぼ対応する形状に形成されている。図１０（ｂ）に示すように、これら湾曲面２２４ａ、２２４ｂの高さ方向のほぼ中央には、湾曲面２２４ａ、２２４ｂに沿って溝２２６ａ、２２６ｂが形成されている。これら溝２２６ａ、２２６ｂ内に、折り返されたループ部１２ａ、１２ｂの交差部３３と反対側の湾曲部が挿入されている。これら固定部２２２ａ、２２２ｂは、ケーシング１３の幅方向に間隔をおいて配置され、その間隔を通って巻き糸１２の他端が引き出され、端壁１４８のガイドリング４１からケーシング１３の外部に引き出されている。また、固定部２２２ａ、２２２ｂの側壁１４２、１４４側の面から帯状体２２８ａ、２２８ｂが端壁１４８まで伸びている。
【００５６】
この糸状体ユニットでは、端壁１４８を開いて、ケーシング１３内に第１の実施形態と同様に糸状体１２を挿入する。その後、固定部２２２ａ、２２２ｂを、それらの帯状体２２８ａ、２２８ｂが端壁１４６に当たるまで挿入する。これによって固定部２２２ａ、２２２ｂの位置決めを行える。その後、溝２２６ａ、２２６ｂ内に、ループ部１２ａ、１２ｂの端壁側に凸の部分を挿入し、先端を固定部２２２ａ、３２２ｂの間からガイドリング４１に通し、端壁１４８を閉じる。糸の先端を引くことによって巻き糸から糸が引き出されるが、溝２２６ａ、２２６ｂによって位置が規制されているので、ループとなっている糸同士が絡み合うことなく、円滑に引き出される。
【００５７】
上記の各実施形態では、容器として扁平な直方体状のケーシングを使用したが、これに限ったものではなく、例えば扁平な円筒状のものを使用することもできる。第３の実施形態では、固定部２２２ａ、２２２ｂに溝２２６ａ、２２６ｂを形成することによって強固に巻き糸１２の位置を規制したが、場合によっては、湾曲面２２４ａ、２２４ｂのみによって規制することもできる。
【符号の説明】
【００５８】
１０・・・糸状体ユニット
１１・・・治具
１２・・・糸状体
１３・・・ケーシング
１４・・・ベースプレート
１５・・・糸掛ボス
１６・・・糸掛ボス
１７・・・下面
１８・・・正面
１９・・・右側面
２０・・・背面
３２・・・上面  
３３・・・中央部
３５・・・収容室
３６・・・前面蓋
４６・・・挿通孔
５１・・・糸状体の一端
５２・・・糸状体の他端側の部分
１０９・・・中央部
１１０・・・側片部
１１１・・・側片部
１１２・・・側片部
１１３・・・側片部
【図１】
0005674081.tif 000002
【図２】
0005674081.tif 000003
【図３】
0005674081.tif 000004
【図４】
0005674081.tif 000005
【図５】
0005674081.tif 000006
【図６】
0005674081.tif 000007
【図７】
0005674081.tif 000008
【図８】
0005674081.tif 000009
【図９】
0005674081.tif 000010
【図１０】
0005674081.tif 000011
【図１１】
0005674081.tif 000012
【図１２】
0005674081.tif 000013
【図１３】
0005674081.tif 000014